(57)【要約】【課題】  構造体の内圧が上昇することを抑制することができる床プレート具を提供する。【解決手段】  床プレート具は、乗降部の床を構成するために、構造体の上に設置されるマンコンベヤ用の床プレート具であって、平板状に形成されるプレート体を備え、プレート体は、構造体の上に設置される際に開放される通気孔を備える。【選択図】  図５
2020142919.tif 000002
【特許請求の範囲】
【請求項１】
乗降部の床を構成するために、構造体の上に設置されるマンコンベヤ用の床プレート具であって、
平板状に形成されるプレート体を備え、
前記プレート体は、前記構造体の上に設置される際に開放される通気孔を備える、床プレート具。
【請求項２】
前記プレート体は、前記通気孔を構成する開口部を有する少なくとも一つの板部と、前記開口部を覆うカバー部と、を備え、
前記カバー部は、前記開口部よりも小さい孔部を複数備える、請求項１に記載の床プレート具。
【請求項３】
前記板部は、少なくとも二つ備えられ、
前記カバー部は、二つの前記板部の間に挟まれる、請求項２に記載の床プレート具。
【請求項４】
前記プレート体の上面からカバー部までの距離は、前記プレート体の下面から前記カバー部までの距離よりも、小さい、請求項３に記載の床プレート具。
【請求項５】
前記プレート体は、上面に、凸部を備え、
前記凸部の外縁形状は、前記通気孔の前記プレート体の上面における外縁形状と、同じである、請求項１〜４の何れか１項に記載の床プレート具。
【請求項６】
所定の前記通気孔が最も近い別の前記通気孔との距離は、前記所定の通気孔が最も近い前記凸部との距離よりも、大きい、請求項５に記載の床プレート具。
【請求項７】
躯体に設置される構造体と、
乗降部の床を構成するために、前記構造体の上に設置される請求項１〜６の何れか１項に記載の床プレート具と、
人が乗る複数のステップと、を備え、
前記通気孔は、幅方向において、前記ステップが位置する領域よりも、外側に配置される、マンコンベヤ。
【請求項８】
前記構造体は、液体を受けることが可能な液受け部を備え、
前記通気孔は、上下方向視で、前記液受け部と重なる、請求項７に記載のマンコンベヤ。
【請求項９】
前記構造体に支持される欄干部を備え、
前記欄干部の端部は、前記床プレート具から上方に離れて配置され、
前記通気孔は、上下方向視で、前記欄干部の端部と重なる、請求項７又は８に記載のマンコンベヤ。
【発明の詳細な説明】
【技術分野】
【０００１】
本発明は、床プレート具及びマンコンベヤに関する。
【背景技術】
【０００２】
従来、例えば、マンコンベヤは、躯体に設置される構造体と、乗降部の床を構成するために、構造体の上に設置される床プレート具とを備えている（例えば、特許文献１）。ところで、特許文献１に係る床プレート具は、構造体に固定されている。これにより、風などによって、構造体の内部に大気が入り込んだ際に、床プレート具が構造体から外れない一方で、構造体（例えば、機械室）の内圧が上昇する。
【先行技術文献】
【特許文献】
【０００３】
【特許文献１】特開２０１７−１９０２２９号公報
【発明の概要】
【発明が解決しようとする課題】
【０００４】
そこで、課題は、構造体の内圧が上昇することを抑制することができる床プレート具及びマンコンベヤを提供することである。
【課題を解決するための手段】
【０００５】
床プレート具は、乗降部の床を構成するために、構造体の上に設置されるマンコンベヤ用の床プレート具であって、平板状に形成されるプレート体を備え、前記プレート体は、前記構造体の上に設置される際に開放される通気孔を備える。
【０００６】
また、床プレート具においては、前記プレート体は、前記通気孔を構成する開口部を有する少なくとも一つの板部と、前記開口部を覆うカバー部と、を備え、前記カバー部は、前記開口部よりも小さい孔部を複数備える、という構成でもよい。
【０００７】
また、床プレート具においては、前記板部は、少なくとも二つ備えられ、前記カバー部は、二つの前記板部の間に挟まれる、という構成でもよい。
【０００８】
また、床プレート具においては、前記プレート体の上面からカバー部までの距離は、前記プレート体の下面から前記カバー部までの距離よりも、小さい、という構成でもよい。
【０００９】
また、床プレート具においては、前記プレート体は、上面に、凸部を備え、前記凸部の外縁形状は、前記通気孔の前記プレート体の上面における外縁形状と、同じである、という構成でもよい。
【００１０】
また、床プレート具においては、所定の前記通気孔が最も近い別の前記通気孔との距離は、前記所定の通気孔が最も近い前記凸部との距離よりも、大きい、という構成でもよい。
【００１１】
また、マンコンベヤは、躯体に設置される構造体と、乗降部の床を構成するために、前記構造体の上に設置される前記の床プレート具と、人が乗る複数のステップと、を備え、前記通気孔は、幅方向において、前記ステップが位置する領域よりも、外側に配置される。
【００１２】
また、マンコンベヤにおいては、前記構造体は、液体を受けることが可能な液受け部を備え、前記通気孔は、上下方向視で、前記液受け部と重なる。
【００１３】
また、マンコンベヤは、前記構造体に支持される欄干部を備え、前記欄干部の端部は、前記床プレート具から上方に離れて配置され、前記通気孔は、上下方向視で、前記欄干部の端部と重なる、という構成でもよい。
【図面の簡単な説明】
【００１４】
【図１】図１は、一実施形態に係るマンコンベヤの概要図である。
【図２】図２は、同実施形態に係るマンコンベヤの乗降部の平面図である。
【図３】図３は、図２のIII領域拡大図である。
【図４】図４は、図３の第１床プレート具のみを示した平面図である。
【図５】図５は、図３のＶ−Ｖ線拡大断面図である。
【図６】図６は、図５のVI領域拡大図である。
【発明を実施するための形態】
【００１５】
以下、マンコンベヤにおける一実施形態について、図１〜図６を参照しながら説明する。なお、各図において、図面の寸法比と実際の寸法比とは、必ずしも一致しておらず、また、各図面の間での寸法比も、必ずしも一致していない。
【００１６】
図１に示すように、本実施形態に係るマンコンベヤ１は、躯体（例えば、梁）に設置される構造体２と、人を搬送する搬送部３と、搬送部３を第１方向Ｄ１で挟むように配置される一対の欄干部４，４（図１においては、一つのみを図示している）とを備えている。また、マンコンベヤ１は、搬送部３及び欄干部４を駆動させる駆動部５を備えている。
【００１７】
図１において、第１方向Ｄ１は、水平方向と平行な方向であって、幅方向Ｄ１といい、第２方向Ｄ２は、水平方向と平行な方向で且つ幅方向Ｄ１と直交する方向であって、前後方向Ｄ２という。第３方向Ｄ３は、鉛直方向と平行な方向であって、上下方向Ｄ３という。
【００１８】
また、本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１９】
搬送部３は、駆動部５に駆動されることによって無端回転する環状の走行部（例えば、チェーン）３ａと、走行部３ａに対して回転可能に接続され、人が乗る踏面を有する複数のステップ３ｂとを備えている。走行部３ａは、幅方向Ｄ１に離れて一対設けられている（図１においては、一つのみ図示している）。そして、複数のステップ３ｂは、一対の走行部３ａ，３ａの間に配置され、それぞれの走行部３ａに対して回転可能に接続されている。
【００２０】
欄干部４は、駆動部５に駆動されることによって無端回転する環状の手摺ベルト４ａと、手摺ベルト４ａを支持するベルト支持部４ｂとを備えている。また、欄干部４は、ベルト支持部４ｂの下部を覆うパネル部４ｃを備えている。
【００２１】
駆動部５は、ステップ３ｂが反転するように、走行部３ａが巻き掛けられる一対の回転部（例えば、スプロケット）５ａ，５ａと、回転部５ａを回転させる駆動源（例えば、モータ）５ｂとを備えている。なお、回転部５ａは、構造体２に回転可能に接続されている。
【００２２】
構造体２は、各構成３〜５を支持している。また、構造体２は、前後方向Ｄ２のそれぞれの端部に、機械室２ａ，２ａを備えている。具体的には、構造体２は、マンコンベヤ１の各乗降部１ａの下方に、機械室２ａ，２ａを備えている。
【００２３】
また、マンコンベヤ１は、各乗降部１ａの床を構成する乗降床部１ｂを備えている。乗降床部１ｂは、各機械室２ａ，２ａを上方から覆うように、構造体２の上に設置されている。なお、欄干部４の前後方向Ｄ２の端部４ｄは、乗降床部１ｂから上方に離れて配置されている。
【００２４】
乗降床部１ｂは、乗降部１ａの床を構成するために、図２に示すように、構造体２の上に設置される複数の床プレート具６〜８を備えている。なお、床プレート具６〜８の個数は、特に限定されないが、本実施形態においては、三つとしている。また、乗降床部１ｂは、前後方向Ｄ２の内側の端部に配置されるコムプレート具９を備えている。
【００２５】
コムプレート具９は、平板状に形成されるプレート部９ａと、プレート部９ａの端部に固定される櫛板部９ｂとを備えている。櫛板部９ｂは、ステップ３ｂの踏面の凹凸と、非接触状態で噛み合う櫛歯を備えている。そして、コムプレート具９は、ボルト及びナットのような固定具によって、構造体２に不動に固定されている。
【００２６】
複数の床プレート具６〜８は、コムプレート具９に隣接される第１床プレート具６と、第１床プレート具６に隣接される第２床プレート具７と、第２床プレート具７に隣接される第３床プレート具８とを備えている。第１床プレート具６は、コムプレート具９と第２床プレート具７との間に配置され、第２床プレート具７は、第１床プレート具６と第３床プレート具８との間に配置されている。
【００２７】
そして、各床プレート具６〜８は、欄干部４が設置されている状態において、構造体２に対して着脱可能である一方で、コムプレート具９は、欄干部４が設置されている状態において、構造体２に対して着脱不能である。したがって、マンコンベヤ１を保守及び点検する際に、床プレート具６〜８は、構造体２から取り外され、コムプレート具９は、構造体２から取り外されない。
【００２８】
また、各床プレート具６〜８は、例えば、ボルト及びナットのような固定具によって、構造体２に固定されていない。即ち、各床プレート具６〜８は、単に、構造体２の上に載せられているだけであって、自重によって、構造体２の上に設置されている。なお、各床プレート具６〜８は、固定具によって、構造体２に不動に固定されていてもよい。
【００２９】
図３〜図５に示すように、第１床プレート具６は、平板状に形成されるプレート体６ａと、プレート体６ａを補強するために、プレート体６ａの下面に連結される長尺な補強部６ｂ，６ｃとを備えている。なお、第１補強部６ｂは、幅方向Ｄ１に沿って延びており、第２補強部６ｃは、前後方向Ｄ２に沿って延びている。
【００３０】
プレート体６ａは、第１床プレート具６が構造体２の上に設置される際に、開放される複数の通気孔６ｄを備えている。通気孔６ｄは、構造体２の機械室２ａ（図１参照）の内部と外部とを連通させている。
【００３１】
これにより、例えば、構造体２の内部に気体が入り込んで、機械室２ａの内圧が上昇した際に、機械室２ａの内部の気体は、通気孔６ｄを経由して、機械室２ａの外部に流出する（図５の上向き矢印参照）。したがって、機械室２ａの内圧が上昇することを抑制することができる。その結果、例えば、各床プレート具６〜８が固定具によって構造体２に固定されていなくても、各床プレート具６〜８を構造体２の上に安定して設置することができる。
【００３２】
ここで、プレート体６ａの上面の構成について、図３及び図４を参照しながら説明する。
【００３３】
プレート体６ａは、上面に、複数の凸部６ｅを備えている。これにより、プレート体６ａの上面が凹凸形状となるため、プレート体６ａの上面で滑ることを抑制することができる。即ち、凸部６ｅは、滑り止め機能を有している。なお、通気孔６ｄの個数及び凸部６ｅの個数は、特に限定されない。また、図３は、通気孔６ｄを図示している一方で、凸部６ｅを図示しておらず、図４において、通気孔６ｄは、網掛けハッチングによって図示されている。
【００３４】
そして、通気孔６ｄ及び凸部６ｅは、整列するように、配置されている。具体的には、通気孔６ｄ及び凸部６ｅは、幅方向Ｄ１及び前後方向Ｄ２に沿って、並列されている。なお、通気孔６ｄ及び凸部６ｅの配置は、特に限定されないが、本実施形態においては、通気孔６ｄ，６ｄ間に、凸部６ｅが配置されている。
【００３５】
これにより、所定の通気孔６ｄが最も近い別の通気孔６ｄとの距離は、当該所定の通気孔６ｄが最も近い凸部６ｅとの距離よりも、大きくなっている。したがって、通気孔６ｄ，６ｄ同士が近くに配置されることを抑制することができるため、例えば、凸部６ｅの滑り止め機能が発揮され、その結果、プレート体６ａの上面で滑ることを抑制することができる。
【００３６】
また、通気孔６ｄのプレート体６ａの上面における外縁形状は、凸部６ｅの外縁形状と、同じである。しかも、通気孔６ｄのプレート体６ａの上面における外縁の大きさは、凸部６ｅの外縁の大きさと、同じである。なお、通気孔６ｄ及び凸部６ｅの外縁形状は、特に限定されないが、本実施形態においては、円形状である。例えば、通気孔６ｄは、直径５ｍｍ〜１０ｍｍの円形状としてもよい。
【００３７】
これにより、同じ外縁形状である通気孔６ｄと凸部６ｅが混在するため、通気孔６ｄが目立つことを抑制することができる。したがって、例えば、通気孔６ｄの存在によって、プレート体６ａの意匠性が損なわれることを抑制することができる。
【００３８】
次に、通気孔６ｄの配置について、図３〜図５を参照しながら説明する。
【００３９】
まず、人は、ステップ３ｂ（図２参照）に向けて歩いたり、ステップ３ｂから出て歩いたりする。したがって、人は、プレート体６ａの幅方向Ｄ１の中央部に載ることが多い。そこで、図３〜図５に示すように、通気孔６ｄは、幅方向Ｄ１において、ステップ３ｂ（図２参照）が位置する領域よりも、外側に配置されている。これにより、人が通気孔６ｄの上に載ることを抑制することができる。
【００４０】
しかも、通気孔６ｄは、第１床プレート具６から上方に離れて配置される欄干部４の端部４ｄと、上下方向Ｄ３視で、重なっている。これにより、欄干部４の端部４ｄと第１床プレート具６との間を、人が殆ど通行しないため、人が通気孔６ｄの上に載ることを効果的に抑制することができる。
【００４１】
また、図５に示すように、構造体２は、例えばトラス構造又はケタ構造を構成する上枠部２ｂと、上枠部２ｂに連結され、液体（例えば、雨水等）を受けることが可能な液受け部２ｃとを備えている。なお、上枠部２ｂと液受け部２ｃとは、図示していない締結手段（ボルト及びナット）又は溶接等によって、固定されている。
【００４２】
そして、通気孔６ｄは、上下方向Ｄ３視で、液受け部２ｃと重なっている。これにより、通気孔６ｄから落ちた液体は、液受け部２ｃで受けられる（図５の下向き矢印参照）。例えば、液受け部２ｃで受けられた液体は、液受け部２ｃの勾配等によって、液受け部２ｃの所定位置まで流れ、図示していないホース又は配管等によって、構造体２の外部へ排水される。したがって、通気孔６ｄから落ちた液体が機械室２ａの内部で散乱することを抑制することができる。
【００４３】
なお、第１床プレート具６は、構造体２に対するプレート体６ａの上下方向Ｄ３の位置を変更可能な位置変更部６ｆを備えている。位置変更部６ｆの構成は、特に限定されないが、本実施形態においては、位置変更部６ｆは、補強部６ｂ，６ｃに固定されるナットと、ナットと螺合し、構造体２の上に載るボルトとを備えている。そして、補強部６ｂ，６ｃから下方に突出するボルトの長さが変更することによって、構造体２に対するプレート体６ａの上下方向Ｄ３の位置が変更される。
【００４４】
次に、プレート体６ａの構成について、図５及び図６を参照しながら説明する。
【００４５】
図５及び図６に示すように、プレート体６ａは、開口部６ｇを有する上板部６ｈと、開口部６ｇを有する下板部６ｉと、各開口部６ｇを覆うカバー部６ｊとを備えている。カバー部６ｊは、開口部６ｇよりも小さい複数の孔部（図示していない）を備えており、通気孔６ｄは、各板部６ｈ，６ｉの開口部６ｇ，６ｇとカバー部６ｊの孔部とによって、形成されている。
【００４６】
なお、各板部６ｈ，６ｉ及びカバー部６ｊの材質は、特に限定されない。例えば、各板部６ｈ，６ｉは、剛性を有するように、金属板で形成されてもよい。また、例えば、カバー部６ｊは、網目状の金属（例えば、金網）又樹脂（例えば、サランネット）で形成されてもよい。
【００４７】
そして、カバー部６ｊは、上板部６ｈと下板部６ｉとに挟まれている。例えば、上板部６ｈと下板部６ｉとは、図示していない締結手段（ボルト及びナット）又は溶接等によって、固定されている。これにより、カバー部６ｊは、上板部６ｈと下板部６ｉとによって確実に保持されている。
【００４８】
また、上板部６ｈの厚みは、下板部６ｉの厚みよりも、薄くなっている。これにより、プレート体６ａの上面からカバー部６ｊまでの距離Ｗ１は、プレート体６ａの下面からカバー部６ｊまでの距離Ｗ２よりも、小さくなっている。当該距離Ｗ１，Ｗ２は、特に限定されないが、例えば、プレート体６ａの上面からカバー部６ｊまでの距離Ｗ１は、１ｍｍ〜２ｍｍとしてもよい。
【００４９】
これにより、物が通気孔６ｄに落ちた際に、物がカバー部６ｊよりも下方に落ちることを抑制することができ、しかも、その落下距離を小さくすることができる。特に、ピンヒールのヒール部が通気孔６ｄに落ちた際に、通気孔６ｄの浅い位置でカバー部６ｊがヒール部を受けるため、ヒール部が通気孔６ｄに深く嵌まり込んで抜け難くなることを抑制することができる。
【００５０】
また、下板部６ｉの開口部６ｇは、上板部６ｈの開口部６ｇよりも、大きくなっている。これにより、下板部６ｉが上板部６ｈに対して少し位置ずれして固定された場合でも、所定の通気孔６ｄの大きさを確保することができる。また、下板部６ｉの重量を減少させることができるため、第１床プレート具６の重量が増高することを抑制することができる。なお、下板部６ｉの開口部６ｇは、例えば、上板部６ｈの開口部６ｇと同じ大きさであったり、小さくなっていたりしてもよい。
【００５１】
なお、上方側の乗降部１ａの床プレート具６について、説明したが、通気孔６ｄは、下方側の乗降部１ａの床プレート具６にも、備えられている、という構成でもよい。即ち、一対の乗降部１ａの床プレート具６のうち、少なくとも一方が、通気孔６ｄを備えている、という構成であればよい。
【００５２】
以上より、本実施形態に係る床プレート具６は、乗降部１ａの床を構成するために、構造体２の上に設置されるマンコンベヤ１用の床プレート具６であって、平板状に形成されるプレート体６ａを備え、前記プレート体６ａは、前記構造体２の上に設置される際に開放される通気孔６ｄを備える。
【００５３】
斯かる構成によれば、構造体２の内圧が上昇した際に、構造体２の内部の気体を、プレート体６ａの通気孔６ｄを経由して、構造体２の外部へ流出させることができる。これにより、構造体２の内圧が上昇することを抑制することができる。
【００５４】
また、本実施形態に係る床プレート具６においては、前記プレート体６ａは、前記通気孔６ｄを構成する開口部６ｇを有する少なくとも一つ（本実施形態においては、二つ）の板部６ｈ，６ｉと、前記開口部６ｇを覆うカバー部６ｊと、を備え、前記カバー部６ｊは、前記開口部６ｇよりも小さい孔部を複数備える、という構成である。
【００５５】
斯かる構成によれば、カバー部６ｊが開口部６ｇを覆っているため、物がカバー部６ｊよりも下方に落ちることを抑制することができる。そして、カバー部６ｊが、開口部６ｇよりも小さい孔部を複数備えているため、通気孔６ｄは、板部６ｈ，６ｉの開口部６ｇ及びカバー部６ｊの孔部によって形成されている。
【００５６】
また、本実施形態に係る床プレート具６においては、前記板部６ｈ，６ｉは、少なくとも二つ（本実施形態においては、二つ）備えられ、前記カバー部６ｊは、二つの前記板部６ｈ，６ｉの間に挟まれる、という構成である。
【００５７】
斯かる構成によれば、二つの板部６ｈ，６ｉがカバー部６ｊを挟んでいるため、カバー部６ｊを確実に保持することができる。しかも、プレート体６ａの上面からカバー部６ｊまでの距離Ｗ１を小さくすることができる。これにより、物が通気孔６ｄに落ちた際に、落下距離を小さくすることができる。
【００５８】
また、本実施形態に係る床プレート具６においては、前記プレート体６ａの上面からカバー部６ｊまでの距離Ｗ１は、前記プレート体６ａの下面から前記カバー部６ｊまでの距離Ｗ２よりも、小さい、という構成である。
【００５９】
斯かる構成によれば、プレート体６ａの上面からカバー部６ｊまでの距離Ｗ１をさらに小さくすることができる。これにより、物が通気孔６ｄに落ちた際に、落下距離をさらに小さくすることができる。
【００６０】
また、本実施形態に係る床プレート具６においては、前記プレート体６ａは、上面に、凸部６ｅを備え、前記凸部６ｅの外縁形状は、前記通気孔６ｄの前記プレート体６ａの上面における外縁形状と、同じである、という構成である。
【００６１】
斯かる構成によれば、凸部６ｅがプレート体６ａの上面に設けられている。そして、凸部６ｅの外縁形状が、通気孔６ｄのプレート体６ａにおける外縁形状と同じであるため、凸部６ｅと通気孔６ｄとを、混在させることができる。
【００６２】
また、本実施形態に係る床プレート具６においては、所定の通気孔６ｄが最も近い別の前記通気孔６ｄとの距離は、前記所定の通気孔６ｄが最も近い前記凸部６ｅとの距離よりも、大きい、という構成である。
【００６３】
斯かる構成によれば、所定の通気孔６ｄに対して、別の通気孔６ｄよりも近い位置に、凸部６ｅが配置されている。これにより、通気孔６ｄ，６ｄ同士が近くに配置されることを抑制することができる。
【００６４】
また、上記実施形態に係るマンコンベヤ１は、躯体に設置される構造体２と、乗降部１ａの床を構成するために、前記構造体２の上に設置される前記の床プレート具６と、人が乗る複数のステップ３ｂと、を備え、前記通気孔６ｄは、幅方向Ｄ１において、前記ステップ３ｂが位置する領域よりも、外側に配置される。
【００６５】
斯かる構成によれば、通気孔６ｄは、幅方向Ｄ１において、ステップ３ｂが位置する領域よりも、外側に配置されている。これにより、人が床プレート具６の通気孔６ｄの上に載ることを抑制することができる。
【００６６】
また、本実施形態に係るマンコンベヤ１においては、前記構造体２は、液体を受けることが可能な液受け部２ｃを備え、前記通気孔６ｄは、上下方向Ｄ３視で、前記液受け部２ｃと重なる、という構成である。
【００６７】
斯かる構成によれば、通気孔６ｄが上下方向Ｄ３視で液受け部２ｃと重なっているため、通気孔６ｄを通過した液体は、液受け部２ｃに向けて落ちることになる。これにより、通気孔６ｄから落ちた液体を液受け部２ｃで受けることができる。
【００６８】
また、本実施形態に係るマンコンベヤ１は、前記構造体２に支持される欄干部４を備え、前記欄干部４の端部４ｄは、前記床プレート具６から上方に離れて配置され、前記通気孔６ｄは、上下方向Ｄ３視で、前記欄干部４の端部４ｄと重なる、という構成である。
【００６９】
斯かる構成によれば、欄干部４の端部４ｄは、床プレート具６から上方に離れて配置されている。そして、通気孔６ｄは、上下方向Ｄ３視で、欄干部４の端部４ｄと重なっている。これにより、人が床プレート具６の通気孔６ｄの上に載ることを効果的に抑制することができる。
【００７０】
なお、マンコンベヤ１及び床プレート具６は、上記した実施形態の構成に限定されるものではなく、また、上記した作用効果に限定されるものではない。また、マンコンベヤ１及び床プレート具６は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７１】
（１）上記実施形態に係る床プレート具６においては、プレート体６ａは、板部６ｈ，６ｉの開口部６ｇを覆うカバー部６ｊを備えている、という構成である。しかしながら、床プレート具６は、斯かる構成が好ましいものの、斯かる構成に限られない。例えば、プレート体６ａは、板部６ｈ，６ｉの開口部６ｇを覆うカバー部６ｊを備えていない、という構成でもよい。
【００７２】
（２）また、上記実施形態に係る床プレート具６においては、カバー部６ｊは、二つの板部６ｈ，６ｉの間に挟まれている、という構成である。しかしながら、床プレート具６は、斯かる構成が好ましいものの、斯かる構成に限られない。例えば、カバー部６ｊは、最も上に配置される板部６ｈの上面に固定されている、という構成でもよく、また、最も下に配置される板部６ｉの下面に固定されている、という構成でもよい。また、例えば、プレート体６ａは、板部６ｈ，６ｉを一つ又は三つ以上備えている、という構成でもよい。
【００７３】
（３）また、上記実施形態に係る床プレート具６においては、プレート体６ａの上面からカバー部６ｊまでの距離Ｗ１は、プレート体６ａの下面からカバー部６ｊまでの距離Ｗ２よりも、小さい、という構成である。しかしながら、床プレート具６は、斯かる構成が好ましいものの、斯かる構成に限られない。例えば、プレート体６ａの上面からカバー部６ｊまでの距離Ｗ１は、プレート体６ａの下面からカバー部６ｊまでの距離Ｗ２以上である、という構成でもよい。
【００７４】
（４）また、上記実施形態に係る床プレート具６においては、プレート体６ａは、上面に、凸部６ｅを備えている、という構成である。しかしながら、床プレート具６は、斯かる構成に限られない。例えば、プレート体６ａは、上面に、凸部６ｅを備えていない、という構成でもよい。
【００７５】
（５）また、上記実施形態に係る床プレート具６においては、凸部６ｅの外縁形状は、通気孔６ｄのプレート体６ａの上面における外縁形状と、同じである、という構成である。しかしながら、床プレート具６は、斯かる構成が好ましいものの、斯かる構成に限られない。例えば、凸部６ｅの外縁形状は、通気孔６ｄのプレート体６ａの上面における外縁形状と、異なる、という構成でもよい。
【００７６】
（６）また、上記実施形態に係る床プレート具６においては、所定の通気孔６ｄが最も近い別の通気孔６ｄとの距離は、当該所定の通気孔６ｄが最も近い凸部６ｅとの距離よりも、大きい、という構成である。しかしながら、床プレート具６は、斯かる構成が好ましいものの、斯かる構成に限られない。例えば、所定の通気孔６ｄが最も近い別の通気孔６ｄとの距離は、当該所定の通気孔６ｄが最も近い凸部６ｅとの距離以下である、という構成でもよい。
【００７７】
（７）また、上記実施形態に係る床プレート具６においては、通気孔６ｄの形状は、円形状である、という構成である。しかしながら、床プレート具６は、斯かる構成に限られない。例えば、通気孔６ｄの形状は、長尺（スリット状）に形成されている、という構成でもよく、また、多角形状に形成されている、という構成でもよい。
【００７８】
（８）また、上記実施形態に係るマンコンベヤ１においては、全ての通気孔６ｄは、幅方向Ｄ１において、ステップ３ｂが位置する領域よりも、外側に配置されている、という構成である。しかしながら、マンコンベヤ１は、斯かる構成が好ましいものの、斯かる構成に限られない。例えば、通気孔６ｄの少なくとも一つは、幅方向Ｄ１において、ステップ３ｂが位置する領域に配置されている、という構成でもよい。
【００７９】
（９）また、上記実施形態に係るマンコンベヤ１においては、全ての通気孔６ｄは、上下方向Ｄ３視で、液受け部２ｃと重なると共に、欄干部４の端部４ｄと重なる、という構成である。しかしながら、マンコンベヤ１は、斯かる構成が好ましいものの、斯かる構成に限られない。例えば、通気孔６ｄの少なくとも一つは、上下方向Ｄ３視で、液受け部２ｃと重なっていない、という構成でもよい。また、例えば、通気孔６ｄの少なくとも一つは、上下方向Ｄ３視で、欄干部４の端部４ｄと重なっていない、という構成でもよい。
【００８０】
（１０）また、上記実施形態に係るマンコンベヤ１においては、通気孔６ｄは、第１床プレート具６のみに設けられている、という構成である。しかしながら、マンコンベヤ１は、斯かる構成に限られない。例えば、通気孔６ｄは、第２床プレート具７及び第３床プレート具８にも設けられている、という構成でもよい。即ち、通気孔６ｄは、少なくとも一つの床プレート具６〜８に設けられている、という構成であればよい。
【符号の説明】
【００８１】
１…マンコンベヤ、１ａ…乗降部、１ｂ…乗降床部、２…構造体、２ａ…機械室、２ｂ…上枠部、２ｃ…液受け部、３…搬送部、３ａ…走行部、３ｂ…ステップ、４…欄干部、４ａ…手摺ベルト、４ｂ…ベルト支持部、４ｃ…パネル部、４ｄ…端部、５…駆動部、５ａ…回転部、５ｂ…駆動源、６…第１床プレート具、６ａ…プレート体、６ｂ…第１補強部、６ｃ…第２補強部、６ｄ…通気孔、６ｅ…凸部、６ｆ…位置変更部、６ｇ…開口部、６ｈ…上板部、６ｉ…下板部、６ｊ…カバー部、７…第２床プレート具、８…第３床プレート具、９…コムプレート具、９ａ…プレート部、９ｂ…櫛板部、Ｄ１…幅方向、Ｄ２…前後方向、Ｄ３…上下方向
【図１】
2020142919.tif 000003
【図２】
2020142919.tif 000004
【図３】
2020142919.tif 000005
【図４】
2020142919.tif 000006
【図５】
2020142919.tif 000007
【図６】
2020142919.tif 000008